(57)【要約】【課題】スイッチユニットのがたつきを抑制するとともに操作性が向上した照明ユニットを提供することを課題とする。【解決手段】照明ユニット１は、ハウジング２と、該ハウジング２に収容されてバルブ３と電線５０とを接続する複数のバスバ４と、前記ハウジング２に組み付けられるとともに前記バスバ４と接続するスイッチ本体部１７と、該スイッチ本体部１７に突没自在に取り付けられた操作部１８と、前記ハウジング２を覆うように取り付けられて前記バスバ４前記ハウジング２との間に挟むカバー部５と、を備えたスイッチユニット６と、を備えた照明ユニット１において、前記カバー部５が、前記スイッチユニット６が前記ハウジング２から抜け出ることを防止する支持部１６を設けている。【選択図】図１
2010208405.tif 000002
【特許請求の範囲】
【請求項１】
ハウジングと、
該ハウジングに収容されてバルブと電線とを接続する複数のバスバと、
前記ハウジングに組み付けられるとともに前記バスバと接続するスイッチ本体部と、該スイッチ本体部に突没自在に取り付けられた操作部と、を備えたスイッチユニットと、
前記ハウジングを覆うように取り付けられて前記バスバを前記ハウジングとの間に挟むカバー部と、
を備えた照明ユニットにおいて、
前記カバー部が前記ハウジングとの間に前記スイッチ本体部を挟む支持部を備えていることを特徴とする照明ユニット。
【請求項２】
前記支持部が、前記スイッチ本体部の外側面に沿って延在していることを特徴とする請求項１に記載の照明ユニット。
【発明の詳細な説明】
【技術分野】
【０００１】
本発明は、例えば、車両としての自動車のルーフトリム等に取り付けられて前記自動車の乗員室内を照明する照明ユニットに関する。
【背景技術】
【０００２】
車両としての自動車には、その乗員室の天井に照明用のバルブなどの発光体を備えた室内照明装置が取り付けられている。
【０００３】
上述した室内照明装置としての照明ユニットは、図８及び図９に示すように、ハウジング１０２と、前記ハウジング１０２に収容されてバルブ１０３と電線５０とを接続する複数のバスバ（図示しない）と、前記ハウジング１０２に組み付けられるとともに前記バスバと接続して前記バルブ１０３の点灯・消灯を制御するスイッチユニット１０６と、前記ハウジング１０２を覆うように取り付けられて前記バスバを前記ハウジング１０２との間に挟むカバー部１０５と、を備えている。なお、図８は、前記電線５０が取り付けられていない状態の照明ユニット１０１の斜視図である。図９は、前記電線５０が取り付けられた状態の照明ユニット１０１の上面図である。
【０００４】
ハウジング１０２は、平板状の底壁１４２と、該底壁１４２から立設した一対の側壁部１４３と、ロックアーム１０９Ａと、を備えている。底壁１４２は矩形状に形成されている。一対の側壁部１４３は、底壁１４２の幅方向の両端部の縁から立設しているとともに、互いに対向して設けられている。側壁部１４３はその長手方向の中央部に切欠きを設けている。なお、底壁１４２の長手方向（図８中の矢印Ｎに示す）の一端部１０２ａには前記バルブ１０３が配されて、一端部１０２ａから離れた端部には前記スイッチユニット１０６が配される。
【０００５】
底壁１４２は、バルブ１０３が装着されるバルブ収容部１０７と、該バルブ収容部１０７に連なりかつ電線５０が収容される電線圧接部１０８と、該電線圧接部１０８に連なりかつスイッチユニット１０６が収容されるスイッチ収容部１０９と、を備えている。
【０００６】
ロックアーム１０９Ａは、側壁部１４３の底壁１４２から離れた縁に連なっているとともに、互いに近付く方向に突出している。一対のロックアーム１０９Ａは、底壁１４２の矢印Ｎから一端部１０２ａから離れた端部に設けられている。ロックアーム１０９Ａは可撓性を備えている。一対のロックアーム１０９Ａは、後述するスイッチユニット１０６のフランジ部１４０の側面を互いの間に挟んで係止する。
【０００７】
スイッチユニット１０６は、スイッチ本体部１１７と、前記スイッチ本体部１１７に突没自在に取り付けられた操作部１１８と、を一体に備えている。そして、前記操作部１１８がオン・オフされることにより、バルブ１０３が点灯または消灯する。
【０００８】
スイッチ本体部１１７は、方体状に形成された基部１３５と、該基部１３５の表面に取り付けられた筒部１３６と、筒部１３６の外周面に設けられたフランジ部１４０と、を備えている。
【０００９】
フランジ部１４０は筒部１３６の外周方向に突出している。フランジ部１４０は筒部１３６と一体に設けられている。そして、フランジ部１４０の筒部１３６の外周面と平行な側面は、前述した一対のロックアーム１０９Ａの互いの間に挟まれるとともに一対のロックアーム１０９Ａに係止される。こうして、スイッチユニット１０６がハウジング１０２に組み付けられている。
【先行技術文献】
【特許文献】
【００１０】
【特許文献１】特開２００７−２４５７９５号公報
【発明の概要】
【発明が解決しようとする課題】
【００１１】
しかしながら、上述した照明ユニット１０１は、以下に示す問題があった。即ち、スイッチユニット１０６は、一対のロックアーム１０９Ａがスイッチユニット１０６のフランジ部１４０の側面を互いの間に挟んで係止して、ハウジング１０２に組み付けられている。そして、従来の照明ユニット１０１が、自動車のルーフトリム等に取り付けられる際には、ハウジング１０２の底壁１４２がルーフトリム等に重ねられて取り付けられるため、スイッチユニット１０６の操作部１１８の先端部は鉛直方向の下方に向けられる。そして、照明ユニット１０１は、スイッチユニット１０６がその重みによって僅かに下方に向って傾いて配されているとともに、スイッチユニット１０６にがたつきが生じて操作性が悪いという問題があった。また、照明ユニット１０１をルーフトリムに組み付ける際には、前述したように照明ユニット１０１が反転されて自動車のルーフトリム等に取り付けられるため、スイッチユニット１０６がハウジング１０２の一端部１０２ａから離れる方向に抜け落ちる虞れがあった。
【００１２】
従って、本発明は、上記のような問題点に着目し、スイッチユニットのがたつきを抑制し、操作性が向上した照明ユニットを提供することを課題とする。
【課題を解決するための手段】
【００１３】
上記課題を解決するためになされた請求項１記載の照明ユニットは、ハウジングと、  該ハウジングに収容されてバルブと電線とを接続する複数のバスバと、前記ハウジングに組み付けられるとともに前記バスバと接続するスイッチ本体部と、該スイッチ本体部に突没自在に取り付けられた操作部と、を備えたスイッチユニットと、前記ハウジングを覆うように取り付けられて前記バスバを前記ハウジングとの間に挟むカバー部と、を備えた照明ユニットにおいて、前記カバー部が前記ハウジングとの間に前記スイッチ本体部を挟む支持部を備えていることを特徴としている。
【００１４】
請求項２記載の照明ユニットは、請求項１に記載の照明ユニットにおいて、前記支持部が、前記スイッチ本体部の外側面に沿って延在していることを特徴としている。
【発明の効果】
【００１５】
以上説明したように、請求項１記載の発明によれば、カバー部の支持部が、スイッチユニットの操作部の先端部を通されてフランジ部に重ねられて、支持部とハウジングとの間にスイッチ本体部を挟んでいる。このため照明ユニットがルーフトリムに取り付けられた状態でスイッチユニットの操作部の先端部が鉛直方向の下方に向けられても、支持部（即ちカバー部）がスイッチ本体部（即ちスイッチユニット）をハウジングとの間に挟んでハウジングに向って押し付けている。このため、支持部がスイッチユニットを水平に保持することができる。そして、支持部がスイッチユニットのがたつきを抑制するとともに操作性が向上した照明ユニットを提供することができる。
【００１６】
請求項２記載の発明によれば、支持部が、スイッチユニットの操作部の先端部を通されるとともにスイッチユニットのスイッチ本体部の外周面（即ち外側面）に、その全周に亘って延在している。このため、スイッチユニットがハウジングの長手方向の一端部から離れる方向に取り外されることを防止することができる。
【図面の簡単な説明】
【００１７】
【図１】本発明の一実施形態に係る照明ユニットの斜視図である。
【図２】図１に示された照明ユニットの上面図である。
【図３】図２に示された照明ユニットのＡ−Ａ線に沿う断面図である。
【図４】図１に示された照明ユニットのカバー部を一方の表面から示す斜視図である。
【図５】図４に示されたカバー部を他方の表面から示す斜視図である。
【図６】図５に示されたカバー部を矢印Ｘから見た側面図である。
【図７】図１に示された照明ユニットの組立作業を説明するための説明図であり、ハウジングにバルブが組み付けられる様子を示す図である。
【図８】従来の照明ユニットの斜視図である。
【図９】図８に示された従来の照明ユニットに電線が取り付けられた状態を示す上面図である。
【発明を実施するための形態】
【００１８】
本発明の一実施形態に係る照明ユニットを、図１乃至図７を参照して説明する。本発明の一実施形態における照明ユニット１は、車両としての自動車の乗員室内の表面に配置される図示しないルーフトリム(自動車の天井を構成する合成樹脂で構成される部品、内張り用の部品)に設けられた開口窓（図示しない）に取り付けられる室内照明装置を構成する。室内照明装置は、図示しない意匠部としてのレンズと、照明ユニット１と、を備えている。なお、図１は、電線５０が取り付けられていない状態を示す照明ユニット１の斜視図である。
【００１９】
レンズは、透明な合成樹脂で構成されて、平板状に形成されている。レンズは、前述した開口窓内を通されて照明ユニット１の後述するハウジング２の係止突起７３に係止する係止受け部（図示しない）と、後述するスイッチユニット６の操作部１８を通す挿通孔（図示しない）と、を備えている。レンズは、照明ユニット１の発する光を乗員室に導く。レンズは、室内照明装置の外観をなした意匠部をなしている。
【００２０】
照明ユニット１は、ハウジング２と、前記ハウジング２に収容されてバルブ３と電線５０とを接続する複数のバスバ４と、前記バスバ４と接続して前記バルブ３の点灯・消灯を制御するスイッチユニット６と、前記ハウジング２を覆うように取り付けられて前記バスバ４を前記ハウジング２との間に挟むとともに後述するスイッチユニット６を支持する支持部１６を備えたカバー部５と、を備えている。
【００２１】
照明ユニット１は、電線５０が取り付けられて電力が供給される導電性のバスバ４を介してバルブ３に電力が供給されることで、当該バルブ３が乗員室内に向かって光を照射して、当該乗員室内を照明する。
【００２２】
ハウジング２は、絶縁性の合成樹脂で構成されている。ハウジング２は、外形が箱状に形成されている。
【００２３】
ハウジング２は、平板状の底壁２１と、該底壁２１の長手方向の両端部と、底壁２１の幅方向の両端部に配されているとともに該底壁２１から立設する側壁部２２と、を備えている。なお、底壁２１の長手方向（図１中の矢印Ｎに示す）の一端部２ａには前記バルブ３が配されて、一端部２ａから離れた端部には前記スイッチユニット６が配される。
【００２４】
底壁２１は矩形状に形成されている。底壁２１は、バルブ３が装着されるバルブ収容部７と、該バルブ収容部７に連なりかつ電線５０が収容される電線圧接部８と、該電線圧接部８に連なりかつスイッチユニット６が収容されるスイッチ収容部９と、を備えている。
【００２５】
バルブ収容部７は、前記一端部２ａに設けられている。バルブ収容部７は、前記底壁２１の表面と、該表面に対して直交する方向との双方に対し交差する方向に後述するバルブ３を配している。
【００２６】
電線圧接部８は、底壁２１の略中央部に設けられている。電線圧接部８の底壁２１の内表面は平坦に設けられているとともに、その内表面には後述するバスバ４の電線接続部１３が配される。また、電線圧接部８は、底壁２１の幅方向に沿って直線状に延在している。そして、電線圧接部８は、電線接続部１３に接続された電線５０を底壁２１の幅方向に延在させる。こうして、電線圧接部８には、後述するカバー部５のカバー本体部１５が取り付けられて、後述するバスバ４の電線接続部１３に接続された電線５０を挟持する。
【００２７】
側壁部２２は、第１壁部４８と、第２壁部４９とで略Ｌ字状に形成されている。第１壁部４８は、底壁２１の幅方向の縁から間隔をあけて配されているとともに、底壁２１の長手方向に沿って配されている。第２壁部４９は、底壁２１の長手方向の両端部から離れた第１壁部４８の端に連なりかつ底壁２１の幅方向と平行に配されている。
【００２８】
側壁部２２は、レンズに設けられた係止受け部に係止する係止突起７３と、後述するカバー部５の係合部２７に係合する係合受け部（図示しない）と、を備えている。
【００２９】
係止突起７３は、第１壁部４８の外表面に設けられている。係止突起７３は、レンズに設けられた係止受け部に係止して、ハウジング２（即ち照明ユニット１）にレンズを取り付ける。係止突起７３は、コ字状に形成されたスリット７４と、該スリット７４の内側に凸に形成された突起７８と、を備えている。係止突起７３は可撓性を備えている。
【００３０】
スリット７４は、底壁２１に対して直交する方向に直線状に設けられた一対の第１スリット７５と、該第１スリット７５の底壁２１に近接する端部同士を結ぶ第２スリット７６とでコ字状に形成されている。勿論、スリット７４は、側壁部２２を貫通している。第１スリット７５は、側壁部２２の底壁２１に近接した縁から、底壁２１を離れる方向に直線状に延びている。一対の第１スリット７５は、互いに間隔をあけて、互いに平行に配されている。スリット７４は、その内側に本体部７７を設けている。
【００３１】
本体部７７は、略矩形状に形成されている。本体部７７の底壁２１から離れた一方の端は、側壁部２２に連なりかつ側壁部２２と一体に形成されている。本体部７７の底壁２１に近接する他方の端は、自由端となっている。本体部７７の他方の端には、突起７８が形成されている。
【００３２】
突起７８は、側壁部２２の外方向に向かって凸に突出して設けられている。
【００３３】
係合受け部は、底壁２１の長手方向に沿って互いに相対する第２壁部４９の内表面に設けられている。係合受け部は、後述するカバー部５の係合部２７と係合する。係合受け部が、係合部２７と係合することによって、カバー部５がハウジング２に取り付けられる。
【００３４】
バルブ３は、図７に示すように、円柱状に形成されて光を照射する発光部１０と、正極・負極からなる一対の電極１１と、を有した周知のウェッジバルブ３である。また、本発明では、ウェッジバルブ３の代わりにＬＥＤウェッジバルブ３を用いることもできる。また、バルブ３は、前述した底壁２１から立設しているとともに、前記底壁２１に対して傾斜している。即ち、バルブ３は、その軸心がハウジング２の底壁２１の表面と、該表面に対し直交する方向との双方に対し交差している。即ち、バルブ３は、図示例では、一端部２ａ側に向って傾斜して配されている。そして、バルブ３は、その電極１１が後述するバスバ４の電極接続部１２に接続されるとともに、前述したバルブ収容部７に装着される。
【００３５】
バスバ４は一対設けられている。一方のバスバ４は、複数の電線５０のうち一方の電線５０が取り付けられて、前述した自動車の車体に搭載されるバッテリなどの電源の正の電極に接続される。また、他方のバスバ４は、複数の電線５０のうち他方の電線５０が取り付けられて電源の負の電極に接続される。そして、照明ユニット１は、バルブ３の正極・負極からなる一対の電極１１が後述するバスバ４の電極接続部１２に接続されるとともに、前記バルブ３に電力を供給する電線５０が、電極接続部１２に連設された電線接続部１３に接続される。
【００３６】
また、本明細書中に用いられる電線５０とは、導電性の金属からなる芯線５１が絶縁被覆５２で覆われた断面形状が丸形の所謂被覆電線５０や、複数の芯線５１が互いに間隔をあけて並設されているとともにこれら芯線５１が絶縁被覆５２で覆われたフラットケーブル５０である。
【００３７】
一対のバスバ４は、導電性金属板に打ち抜き加工や曲げ加工を施すことにより形成されている。バスバ４は、図３などに示すように、上記バルブ３の電極１１と接続する電極接続部１２と、電線５０と接続する電線接続部１３と、後述するスイッチユニット６のスイッチ回路４５と接続するスイッチ接続部１４と、を備えている。
【００３８】
電極接続部１２は、互いに間隔をあけて相対した一対の帯状の電極挟持片１９と、これら一対の電極挟持片１９の長手方向一端部同士に連なった連結片（図示しない）と、を備えている。また、一対の電極挟持片１９は、互いに近づく方向に凸に湾曲されており、これらの間に上記バルブ３の電極１１が挿入されるとともに、該電極挟持片１９と正極・負極のうち一方の電極１１とが電気的に接続される。
【００３９】
電線接続部１３は、電極接続部１２の長手方向の一端部に連なっている。電線接続部１３は、電線５０が圧入されて、電線５０の絶縁被覆５２が突き破られるとともに電線５０の芯線５１が接続される。こうして、バスバ４は電線５０と接続する。
【００４０】
スイッチ接続部１４は、電線接続部１３の長手方向の一端部に連なっている。スイッチ接続部１４は、図３に示すように、平板状に設けられている。そして、スイッチ接続部１４は、バスバ４がハウジング２に収容されると、底壁２１と互いに対向する格好で配されている。
【００４１】
スイッチユニット６は、スイッチ本体部１７と、前記スイッチ本体部１７に突没自在に取り付けられた操作部１８と、を一体に備えている。そして、前記操作部１８がオン・オフされることにより、バルブ３が点灯または消灯する。
【００４２】
スイッチ本体部１７は、方体状に形成された基部３５と、円柱状に形成された筒部３６と、フランジ部４０と、を一体に備えている。
【００４３】
基部３５は、図３に示すように、スイッチユニット６がハウジング２に取り付けられるとハウジング２の底壁２１に重ねられる底面３７と、底面３７に互いに対向して配される天井面３８と、底面３７の縁と天井面３８の縁とを互いに連ねる複数の側面４２と、バスバ４のスイッチ接続部１４と接続する接続部４３と、スイッチ回路４５と、を備えている。
【００４４】
なお、天井面３８は、ハウジング２の底壁２１の表面と平行に配されている。勿論、カバー部５がハウジング２に取り付けられると、天井面３８は、後述するカバー部５の平板部２３とも平行に配される。
【００４５】
接続部４３は、スイッチユニット６がハウジング２に取り付けられるとハウジング２の電線圧接部８に近接する一つの側面４２に設けられている。接続部４３は、該側面４２の表面から凹に設けられているとともに、その内面からスイッチ回路４５が露出している。接続部４３は、バスバ４のスイッチ接続部１４に侵入されて、スイッチ接続部１４は、スイッチ回路４５と接続する。こうして、スイッチユニット６はバスバ４と接続する。
【００４６】
スイッチ回路４５は、後述する操作部１８がオン・オフされることによって、電線５０とバルブ３の電極１１を電気的に接続したり、これら電気的な接続を解除したりする。
【００４７】
筒部３６は、円柱状に形成されている。筒部３６は、天井面３８から突出して設けられている。筒部３６の外周面にはフランジ部４０が設けられている。
【００４８】
フランジ部４０は筒部３６の外周方向に突出している。フランジ部４０は、筒部３６の天井面３８寄りに配されている。そして、フランジ部４０の天井面３８と平行であるとともに天井面３８から離れた面４１には、後述する支持部１６の円環部３０の溝３３の底が重ねられる。
【００４９】
なお、本明細書中の前述した「面４１」は、スイッチ本体部１７において、スイッチユニット６がハウジング２に組み付けられる際に、ハウジング２の底壁２１の表面と平行な面をいう。勿論、面４１は、カバー部５の平板部２３の表面とも平行な面である。
【００５０】
操作部１８は、前述したレンズの挿通孔を通されて乗員室内に位置付けられる。操作部１８は、筒部３６の天井面３８から離れた面３９から突出して設けられている。前述した操作部１８の外周は、前述した筒部３６の外周よりも、小さい寸法に設けられている。そして、操作部１８は筒部３６の中心軸と同軸上に配されている。
【００５１】
なお、面３９は、前述した天井面３８と平行に配されている。勿論、天井面３８と平行な面３９は、ハウジング２の底壁２１の表面と平行に配されている。そして、カバー部５がハウジング２に取り付けられると、面３９は、後述するカバー部の平板部２３とも平行に配される。
【００５２】
カバー部５は、図４乃至図６に示すように、カバー本体部１５と、前述したハウジング２との間にスイッチユニット本体部１７を挟む支持部１６と、を一体に備えている。
【００５３】
カバー部５はその幅方向と、底壁２１の幅方向とが互いに等しい寸法に形成されている。後述する平板部２３は、平板状に形成されているとともに、カバー部５がハウジング２に取り付けられると、前述したハウジング２の底壁２１と互いに間隔をあけて互いに対向して配される。そして、カバー部５はハウジング２を覆うように取り付けられて電線５０をハウジング２との間に挟むとともに、スイッチユニット本体部１７をハウジング２との間に挟む。
【００５４】
カバー本体部１５は、カバー部５がハウジング２に取り付けられると前述したハウジング２の電線圧接部８を覆う。カバー本体部１５は、平板部２３と、平板部２３に設けられた複数の隔壁２４と、平板部２３の長手方向（即ちカバー部５の幅方向）の両端部に設けられかつ平板部２３を互いの間に挟む一対の立設壁２６と、前述したハウジング２の係合受け部と係合する係合部２７と、を備えている。カバー本体部１５は、カバー部５がハウジング２に取り付けられると、電線５０をハウジング２との間に挟むとともに電線５０がハウジング２から抜け出ることを防止する。
【００５５】
平板部２３は、カバー部５がハウジング２に取り付けられると、ハウジング２の底壁２１と互いに対向する。そして、平板部２３は、平板部２３の底壁２１と相対する内表面から凸に形成された複数の隔壁２４を設けている。
【００５６】
隔壁２４は、図示例では、５つ設けられている。隔壁２４は、平板部２３の長手方向に沿って凸に設けられている。５つの隔壁２４は、互いに間隔をあけて、互いに平行に直線状に延在している。隔壁２４には、その先端部から平板部２３に向って隔壁２４を切り欠いた切欠きが設けられている。切欠きは、隔壁２４の長手方向に沿って等間隔に凹に形成されている。こうして、隔壁２４はその長手方向に沿って複数の凹の切欠きが設けられることによって得られた凸４４が、カバー部５がハウジング２に取り付けられると、電線５０と電線５０との間に配される。そして、隔壁２４は、前述したバスバ４の電線接続部１３に接続されかつハウジング２の電線圧接部８に組み付けられた電線５０が、矢印Ｎに沿って動くことを防止する。
【００５７】
立設壁２６は、平板部２３の長手方向の縁から前述した隔壁２４と同方向に立設している。そして、立設壁２６の先端部は、前述した隔壁２４の先端部よりも更に突出して設けられている。そして、立設壁２６は、その長手方向（即ち平板部２３の幅方向）の両端部に一対の係合部２７を設けている。
【００５８】
係合部２７は、立設壁２６の長手方向に撓むことが可能に形成されている。係合部２７は、平板部２３の前記先端部に一端が連なりかつ他端が自由端である柱部２８と、柱部２８の他端に設けられた突起２９と、を備えている。
【００５９】
突起２９は、立設壁２６の外方向に凸に設けられている。
【００６０】
支持部１６は、平板状に形成されている。支持部１６は、円環状に形成された円環部３０と、円環部３０とカバー本体部１５とを連結する連結部３１と、を備えている。
【００６１】
円環部３０は、その中央部に前述したスイッチユニット６の操作部１８の先端部が通される開口３２と、円環部３０の内周縁が全周に亘って切り欠かかれて形成された溝３３と、を設けている。
【００６２】
溝３３は、カバー部５がハウジング２に取り付けられると底壁２１と相対する表面に形成されている。また、溝３３の底は、後述するスイッチユニット６のフランジ部４０の面４１にぴったりと重ねられる。
【００６３】
連結部３１は一対設けられている。連結部３１は矩形状に形成されている。連結部３１は、互いに間隔をあけて互いに平行に配されている、そして連結部３１は、その長手方向の一方の端が、平板部２３の幅方向の端に連なっているとともに他方の端が、円環部３０の外周縁の一部に連なっている。
【００６４】
続いて、上述した照明ユニット１の組み立て方法を説明する。上述した一対のバスバ４は、電極接続部１２がハウジング２のバルブ収容部７に配されて、電線接続部１３がハウジング２の電線収容部２３に配される格好で、ハウジング２に組み付けられる。この状態では、バスバ４のスイッチ接続部１４は、電線圧接部８の一端部２ａから離れた端部から突出している。
【００６５】
そして、スイッチユニット６を一端部２ａから離れた端部から、スイッチユニット６の底面３７と底壁２１とを重ねて、スイッチユニット６の接続部４３が設けられた一つの側面４２を一端部２ａに近づける。スイッチユニット６のスイッチ本体部１７をスイッチ収容部に収容するとともに、バスバ４のスイッチ接続部１４が接続部４３に侵入して、スイッチ接続部１４とスイッチ回路４５とを接続する。こうしてバスバ４とスイッチユニット６とが電気的に接続する。
【００６６】
そして、バスバ４の電線接続部８に電線５０を圧入する。こうして、バスバ４と電線５０とが電気的に接続する。
【００６７】
そして、平板部２３の内表面と底壁２１とを互いに相対する格好で近づけるとともに、支持部１６の円環部３０の開口３２をスイッチユニット６の操作部１８の先端部から通す。そして、カバー部５の係合部２７が、ハウジング２の係合受け部に係合するとともに、スイッチユニット６のフランジ部４０の面４１が円環部３０の溝３３の底に重ねられる。こうしてカバー部５がハウジング２に取り付けられるとともに、スイッチユニット６がハウジング２に組み付けられる。
【００６８】
そして、バルブ３の電極１１を一対の電極挟持片１９間に挿入して、バルブ３をハウジング２のバルブ収容部７に装着する。そして、バルブ３がバスバ４と電気的に接続するとともに、バルブ３がハウジング２に装着される。こうして照明ユニット１が完成する。そして、一対のバスバ４に電気的に接続されたスイッチユニット６の操作部１８がオン・オフされることにより、バルブ３が点灯または消灯する。
【００６９】
上述した実施形態によれば、カバー部５の支持部１６が、スイッチユニット６の操作部１８の先端部を通されてフランジ部４０の面４１に重ねられて、支持部１６とハウジング２との間にスイッチ本体部１７の前記面４１を挟んでいる。支持部１６（即ちカバー部５）がスイッチ本体部１７（即ちスイッチユニット６）をハウジング２との間に挟んで、ハウジング２の底壁２１に向って押し付けている。このため、照明ユニット１がルーフトリムに取り付けられた状態でスイッチユニット６の操作部１８の先端部が鉛直方向の下方に向けられても、支持部１６が前記面４１（即ちスイッチユニット６）を水平に保持することができる。そして、支持部１６がスイッチユニット６のがたつきを抑制するとともに操作性が向上した照明ユニット１を提供することができる。
【００７０】
また、カバー部５の支持部１６が、スイッチユニット６の操作部１８の先端部を通されるとともにスイッチユニット６のスイッチ本体部１７の筒部３６の外周面（即ち外側面）に、その全周に亘って延在している。このため、スイッチユニット６がハウジング２の長手方向の一端部２ａから離れる方向に取り外されることを防止することができる。
【００７１】
なお、支持部１６の円環部３０は、フランジ部４０の面４１に重ねられているが、本発明はこれに限ったものではない。支持部１６の円環部３０は、本明細書中に記したスイッチ本体部１７の「平行な面」に重ねられれば良い。例えば、支持部１６の円環部３０は、筒部３６が設けられた基部３５の天井面３８に重ねられても良い。また、支持部１６の円環部３０は、操作部１８が設けられた筒部３６の面３９に重ねられても良い。
【００７２】
また、支持部１６の円環部３０は、円環状に形成されているがこれに限ったものではない。円環部３０は、中央部が開口した矩形状に形成されていてもよい。円環部３０の少なくとも一部が、前述したスイッチ本体部１７の「平行な面」に重ねられればよい。
【００７３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００７４】
１  照明ユニット
２  ハウジング
３  バルブ
４  バスバ
５  カバー部
６  スイッチユニット
１６  支持部
１７  スイッチ本体部
１８  操作部
５０  電線
【図１】
2010208405.tif 000003
【図２】
2010208405.tif 000004
【図３】
2010208405.tif 000005
【図４】
2010208405.tif 000006
【図５】
2010208405.tif 000007
【図６】
2010208405.tif 000008
【図７】
2010208405.tif 000009
【図８】
2010208405.tif 000010
【図９】
2010208405.tif 000011